(57)【要約】【課題】単一及び差動信号を出力可能な音質の向上したオーディオ装置を提供する。【解決手段】本発明の一実施例に係るオーディオ装置は、デジタル左チャネル信号及びデジタル右チャネル信号が入力され、第１及び第２アナログ左信号及び第１及び第２アナログ右信号を出力するアナログモジュール；第１〜第５伝導体を具備し、第１〜第５伝導体に第１及び第２アナログ左信号、第１及び第２アナログ右信号及び接地電圧が各々印加される第１出力ポート；第６〜第９伝導体を具備し、第６〜第９伝導体に第１及び第２アナログ左信号及び第１及び第２アナログ右信号が印加される第２出力ポートを具備し、第１〜第３端子を具備したオーディオジャックが第１出力ポートに挿入されると、第１及び第２伝導体が前記第１端子に連結され、第３及び第４伝導体が第２端子に連結され、第５伝導体が第３端子に連結される。【選択図】    図２
2018007243.tif 000002
【特許請求の範囲】
【請求項１】
デジタル左チャネル信号およびデジタル右チャネル信号の入力を受けて、第１および第２アナログ左信号および第１および第２アナログ右信号を出力するアナログモジュール；
第１〜第５伝導体を具備し、前記第１〜第５伝導体に前記第１および第２アナログ左信号、前記第１および第２アナログ右信号および接地電圧がそれぞれ印加される第１出力ポート；および
第６〜第９伝導体を具備し、前記第６〜第９伝導体に前記第１および第２アナログ左信号および前記第１および第２アナログ右信号が印加される第２出力ポートを具備し、
第１〜第３端子を具備したオーディオジャックが前記第１出力ポートに挿入されると、前記第１および第２伝導体が前記第１端子に連結され、前記第３および第４伝導体が前記第２端子に連結され、前記第５伝導体が前記第３端子に連結される、オーディオ装置。
【請求項２】
前記第１出力ポートに前記オーディオジャックが挿入された時には、前記第１および第２アナログ左信号および前記第１および第２アナログ右信号は単一モードで動作し、
前記第１出力ポートに前記オーディオジャックが挿入されていない少なくとも一部の期間には前記第１および第２アナログ左信号および前記第１および第２アナログ右信号は差動モードで動作する、請求項１に記載のオーディオ装置。
【請求項３】
前記アナログモジュールは
前記デジタル左チャネル信号に対してデジタル−アナログ変換および増幅を遂行して得た前記第１および第２アナログ左信号を出力し、
前記デジタル右チャネル信号に対してデジタル−アナログ変換および増幅を遂行して得た前記第１および第２アナログ右信号を出力する、請求項１に記載のオーディオ装置。
【請求項４】
前記第１出力ポートに前記オーディオジャックが挿入されたかを感知し、これに対応する制御信号を出力する制御部をさらに含み、
前記アナログモジュールは前記第１および第２アナログ左信号および前記第１および第２アナログ右信号を前記制御信号により差動モードおよび単一モードのうち選択された一つのモードに出力する、請求項３に記載のオーディオ装置。
【請求項５】
前記アナログモジュールは
前記デジタル左チャネル信号および前記デジタル右チャネル信号に対してデジタル−アナログ変換を遂行するデジタル−アナログ変換器；および
前記デジタル−アナログ変換器の出力に対して増幅を遂行して得た前記第１および第２アナログ左信号および前記第１および第２アナログ右信号を出力する増幅器を含む、請求項１に記載のオーディオ装置。
【請求項６】
前記増幅器の出力端と前記第１〜第４伝導体の間にいかなるスイッチも連結されない、請求項５に記載のオーディオ装置。
【請求項７】
前記増幅器の出力端と前記第６〜第９伝導体の間にいかなるスイッチも連結されない、請求項５に記載のオーディオ装置。
【請求項８】
第１〜第３端子を具備したオーディオジャックが挿入されるオーディオ出力ポートであって、
前記オーディオジャックが挿入されると前記第１端子に連結される第１伝導体；
前記オーディオジャックが挿入されると前記第１端子に連結される第２伝導体；
前記オーディオジャックが挿入されると前記第２端子に連結される第３伝導体；
前記オーディオジャックが挿入されると前記第２端子に連結される第４伝導体；および
前記オーディオジャックが挿入されると前記第３端子に連結される第５伝導体を含む、オーディオ出力ポート。
【請求項９】
前記第１および第２伝導体には第１および第２アナログ左信号が印加され、
前記第３および第４伝導体には第１および第２アナログ右信号が印加され、
前記第５伝導体には接地電圧が印加される、請求項８に記載のオーディオ出力ポート。
【請求項１０】
前記第１および第２アナログ左信号および前記第１および第２アナログ右信号は前記オーディオジャックが前記オーディオ出力ポートに挿入された時には単一モードで動作し、前記オーディオジャックが前記オーディオ出力ポートに挿入されていない少なくとも一部の期間には差動モードで動作する、請求項９に記載のオーディオ出力ポート。
【請求項１１】
単一左信号、単一右信号および接地電圧が印加される第１オーディオジャックが挿入される第１出力ポート；
第１および第２差動左信号と第１および第２差動右信号が印加される第２オーディオジャックが挿入される第２出力ポート；
前記第１出力ポートに前記第１オーディオジャックが挿入されたかの可否および前記第２出力ポートに前記第２オーディオジャックが挿入されたかの可否のうち少なくともいずれか一つにより制御信号を生成する制御部；および
デジタル左チャネル信号をデジタル−アナログ変換および増幅して、差動アナログ左信号および２個の単一アナログ左信号の中から前記制御信号によって選択された信号を出力し、デジタル右チャネル信号をデジタル−アナログ変換および増幅して、差動アナログ右信号および２個の単一アナログ右信号の中から前記制御信号によって選択された信号を出力するアナログモジュールを含む、オーディオ装置。
【請求項１２】
前記第１出力ポートに前記第１オーディオジャックが挿入された時に前記アナログモジュールは前記２個の単一アナログ左信号および前記２個の単一アナログ右信号を出力し、前記２個の単一アナログ左信号は前記第１出力ポートを通じて前記第１オーディオジャックの第１端子に印加され、前記２個の単一アナログ右信号は前記第１出力ポートを通じて前記第１オーディオジャックの第２端子に印加される、請求項１１に記載のオーディオ装置。
【請求項１３】
前記第１出力ポートに前記第１オーディオジャックが挿入されていない少なくとも一部の期間には前記アナログモジュールは前記差動アナログ左信号および前記差動アナログ右信号を出力する、請求項１２に記載のオーディオ装置。
【請求項１４】
前記第２出力ポートに前記第２オーディオジャックが挿入された時に前記アナログモジュールは前記差動アナログ左信号および前記差動アナログ右信号を出力し、前記差動アナログ左信号は前記第２出力ポートを通じて前記第２オーディオジャックの第１および第２端子にそれぞれ印加され、前記差動アナログ右信号は前記第２出力ポートを通じて前記第２オーディオジャックの第３および第４端子にそれぞれ印加される、請求項１１に記載のオーディオ装置。
【請求項１５】
前記第２出力ポートに前記第２オーディオジャックが挿入されていない少なくとも一部の期間には前記アナログモジュールは前記２個の単一アナログ左信号および前記２個の単一アナログ右信号を出力する、請求項１４に記載のオーディオ装置。
【請求項１６】
前記アナログモジュールは前記差動アナログ左信号および前記２個の単一アナログ左信号の中から前記制御信号によって選択された信号を第１および第２配線を通じて出力し、前記差動アナログ右信号および前記２個の単一アナログ右信号の中から前記制御信号によって選択された信号を第３および第４配線を通じて出力する、請求項１１に記載のオーディオ装置。
【請求項１７】
前記第１出力ポートは第１〜第３伝導体を有し、
前記第２出力ポートは第４〜第７伝導体を有し、
前記第１および第２配線は前記制御信号によって制御される第１スイッチを経由して前記第１伝導体に連結され、
前記第３および第４配線は前記制御信号によって制御される第２スイッチを経由して前記第２伝導体に連結され、
前記第１〜第４配線は前記第４〜第７伝導体にそれぞれ連結される、請求項１６に記載のオーディオ装置。
【請求項１８】
前記第１出力ポートに前記第１オーディオジャックが挿入された時に前記第１および第２配線が前記第１伝導体に連結され、前記第３および第４配線が前記第２伝導体に連結されるように前記第１および第２スイッチが制御され、
前記第１出力ポートに前記第１オーディオジャックが挿入されていない少なくとも一部期間に前記第１および第２配線のうち少なくともいずれか一つが前記第１伝導体に連結されず、前記第３および第４配線のうち少なくともいずれか一つが前記第２伝導体に連結されないように前記第１および第２スイッチが制御される、請求項１７に記載のオーディオ装置。
【請求項１９】
前記第２出力ポートに前記第２オーディオジャックが挿入された時に前記第１および第２配線のうち少なくともいずれか一つが前記第１伝導体に連結されず、前記第３および第４配線のうち少なくともいずれか一つが前記第２伝導体に連結されないように前記第１および第２スイッチが制御され、
前記第２出力ポートに前記第２オーディオジャックが挿入されていない少なくとも一部の期間に前記第１および第２配線が前記第１伝導体に連結され、前記第３および第４配線が前記第２伝導体に連結されるように前記第１および第２スイッチが制御される、請求項１７に記載のオーディオ装置。
【請求項２０】
前記第１出力ポートは第１〜第５伝導体を有し、
前記第２出力ポートは第６〜第９伝導体を有し、
前記第１〜第４配線は前記第１〜第４伝導体にそれぞれ連結され、
前記第１〜第４配線は前記第６〜第９伝導体にそれぞれ連結される、請求項１６に記載のオーディオ装置。
【請求項２１】
第１〜第３端子を具備した前記第１オーディオジャックが前記第１出力ポートに挿入されると、前記第１および第２伝導体は前記第１端子に連結され、前記第３および第４伝導体は前記第２端子に連結され、前記第５伝導体は前記第３端子に連結される、請求項２０に記載のオーディオ装置。
【発明の詳細な説明】
【技術分野】
【０００１】
以下で説明する技術はオーディオ装置およびオーディオ出力ポートに関するものである。
【背景技術】
【０００２】
従来のオーディオ装置は１個の出力ポートだけを有していた。この出力ポートには単一信号（ｓｉｎｇｌｅ−ｅｎｄｅｄ  ｓｉｇｎａｌ）が入力されるオーディオジャックが挿入される。このオーディオジャックは３個の端子を有し、３個の端子には出力ポートを通じて単一左信号、単一右信号および接地電圧がそれぞれ入力される。
【０００３】
最近は需要者からの多様な要求によって、追加の出力ポートを有するオーディオ装置が販売されている。追加の出力ポートには差動信号（ｄｉｆｆｅｒｅｎｔｉａｌ  ｓｉｇｎａｌ）が入力されるオーディオジャックが挿入される。このオーディオジャックは４個の端子を有し、４個の端子には追加の出力ポートを通じて差動左信号および差動右信号がそれぞれ入力される。
【先行技術文献】
【特許文献】
【０００４】
【特許文献１】韓国公開特許第２０１５−００８１７１０号公報
【発明の概要】
【発明が解決しようとする課題】
【０００５】
したがって、本開示は単一信号を出力する出力ポートおよび差動信号を出力する出力ポートを具備するオーディオ装置を提供するものである。
【０００６】
また、本開示は増幅器と出力ポートの間に位置したアナログスイッチの一部又は全部を除去することによって、アナログスイッチの抵抗成分によって発生する音質低下を低減するか除去したオーディオ装置を提供するものである。
【０００７】
また、本開示は単一信号が入力されるオーディオジャックに対する電流駆動能力を増加させることによって音質を向上させたオーディオ装置を提供するものである。
【課題を解決するための手段】
【０００８】
一実施例に係るオーディオ装置は、デジタル左チャネル信号およびデジタル右チャネル信号の入力を受けて、第１および第２アナログ左信号および第１および第２アナログ右信号を出力するアナログモジュール；第１〜第５伝導体を具備し、前記第１〜第５伝導体に前記第１および第２アナログ左信号、前記第１および第２アナログ右信号および接地電圧がそれぞれ印加される第１出力ポート；および第６〜第９伝導体を具備し、前記第６〜第９伝導体に前記第１および第２アナログ左信号および前記第１および第２アナログ右信号が印加される第２出力ポートを具備し、第１〜第３端子を具備したオーディオジャックが前記第１出力ポートに挿入されると、前記第１および第２伝導体が前記第１端子に連結され、前記第３および第４伝導体が前記第２端子に連結され、前記第５伝導体が前記第３端子に連結される。
【０００９】
一実施例に係るオーディオ出力ポートは、第１〜第３端子を具備したオーディオジャックが挿入されるオーディオ出力ポートであって、前記オーディオジャックが挿入されると前記第１端子に連結される第１伝導体；前記オーディオジャックが挿入されると前記第１端子に連結される第２伝導体；前記オーディオジャックが挿入されると前記第２端子に連結される第３伝導体；前記オーディオジャックが挿入されると前記第２端子に連結される第４伝導体；および前記オーディオジャックが挿入されると前記第３端子に連結される第５伝導体を含む。
【００１０】
また、一実施例に係るオーディオ装置は、単一左信号、単一右信号および接地電圧が印加される第１オーディオジャックが挿入される第１出力ポート；第１および第２差動左信号と第１および第２差動右信号が印加される第２オーディオジャックが挿入される第２出力ポート；前記第１出力ポートに前記第１オーディオジャックが挿入されたかの可否および前記第２出力ポートに前記第２オーディオジャックが挿入されたかの可否のうち少なくともいずれか一つにより制御信号を生成する制御部；およびデジタル左チャネル信号をデジタル−アナログ変換および増幅して、差動アナログ左信号および２個の単一アナログ左信号の中から前記制御信号によって選択された信号を出力し、デジタル右チャネル信号をデジタル−アナログ変換および増幅して、差動アナログ右信号および２個の単一アナログ右信号の中から前記制御信号によって選択された信号を出力するアナログモジュールを含む。
【発明の効果】
【００１１】
本開示によるオーディオ装置は、増幅器と出力ポートの間に位置したアナログスイッチの一部又は全部を除去することによって、アナログスイッチの抵抗成分によって発生する音質低下を低減するか除去することができる長所がある。
【００１２】
また、本開示によるオーディオ装置は単一信号が入力されるオーディオジャックに対する電流駆動能力を増加させることによって音質を向上させることができる長所がある。
【図面の簡単な説明】
【００１３】
【図１】図１は、本発明の第１実施例に係るオーディオ装置を示す図である。
【図２】図２は、本発明の第２実施例に係るオーディオ装置を示す図である。
【図３】図３は、図２に示した第２実施例に係るオーディオ装置の第１出力ポートに適用可能なオーディオ出力ポートの一例を説明するための図である。
【図４】図４は、図２に示した第２実施例に係るオーディオ装置の第１出力ポートに適用可能なオーディオ出力ポートの他の一例を説明するための図である。
【図５】図５は、本発明の第３実施例に係るオーディオ装置を示す図である。
【発明を実施するための形態】
【００１４】
以下で説明する技術は多様な変更を加えることができ、様々な実施例を有することができるところ、特定実施例を図面に例示して詳細に説明する。しかし、これは以下で説明する技術を特定の実施形態に限定しようとするものではなく、以下で説明する技術の思想および技術範囲に含まれるすべての変更、均等物ないしは代替物を含むものと理解されるべきである。
【００１５】
第１、第２、Ａ、Ｂなどの用語は多様な構成要素の説明に用いられ得るが、該当構成要素は前記用語によって限定されず、単に一つの構成要素を他の構成要素から区別する目的でのみ用いられる。例えば、以下で説明する技術の権利範囲を逸脱することなく第１構成要素は第２構成要素と命名され得、同様に第２構成要素も第１構成要素と命名され得る。および／またはという用語は、複数の関連した記載された項目の組合わせまたは複数の関連した記載された項目のうちいずれかの項目を含む。
【００１６】
本明細書で用いられる用語において、単数の表現は文脈上明白に異なることを意味しない限り、複数の表現を含むものと理解されるべきであり、「含む」などの用語は説示された特徴、個数、段階、動作、構成要素、部分品またはこれらを組み合わせたものが存在することを意味するものであり、一つまたはそれ以上の他の特徴や個数、段階、動作、構成要素、部分品またはこれらを組み合わせたものの存在または付加可能性を排除しないものと理解されるべきである。
【００１７】
図面の詳細な説明に先立って、本明細書での各構成部に対する区分は各構成部が担当する主の機能別に区分したものに過ぎないことを明確に言っておきたい。すなわち、以下で説明する２個以上の構成部が一つの構成部に合わせられたりまたは一つの構成部がより細分化された機能別に２個以上に分化して具備されることもある。そして、以下で説明する構成部のそれぞれは、自らが担当する主機能の他にも他の構成部が担当する機能のうち一部又は全部の機能を追加的に遂行することもでき、構成部のそれぞれが担当する主機能のうち一部の機能が他の構成部によって専担されて遂行され得ることもあることは言うまでもない。
【００１８】
また、方法または動作方法を遂行するにおいて、前記方法をなす各過程は文脈上明白に特定順序を記載しない限り、明記された順序と異なって起きることもあり得る。すなわち、各過程は明記された順序で起きることもあれば、実質的に同時に遂行されることもあり、反対の順に遂行されることもある。
【００１９】
図１は第１実施例に係るオーディオ装置を示す図面である。図１を参照すれば、オーディオ装置はアナログモジュール１１０、アナログスイッチ１２０、第１出力ポート１３０および第２出力ポート１４０を具備する。
【００２０】
アナログモジュール１１０はデジタル左チャネル信号（Ｌ  ｃｈａｎｎｅｌ）およびデジタル右チャネル信号（Ｒ  ｃｈａｎｎｅｌ）をデジタル−アナログ変換および増幅して得た差動左信号（Ｌ＋、Ｌ−）および差動右信号（Ｒ＋、Ｒ−）を出力する。アナログスイッチ１２０は差動左信号（Ｌ＋、Ｌ−）および差動右信号（Ｒ＋、Ｒ−）を第１および第２出力ポート１３０、１４０の中で制御信号（Ｃｔｒｌ）によって選択された出力ポートに伝達する。制御信号（Ｃｔｒｌ）が第１出力ポート１３０に出力することに対応する場合、スイッチ（１２１−１２４）は図面に実線で表示されたように連結される。したがって、正の差動左信号（Ｌ＋）、正の差動右信号（Ｒ＋）が第１出力ポート１３０に連結される。制御信号（Ｃｔｒｌ）が第２出力ポート１４０に出力することに対応する場合、スイッチ１２１〜１２４は図面に点線で表示されたように連結される。したがって、差動左信号（Ｌ＋、Ｌ−）および差動右信号（Ｒ＋、Ｒ−）が第２出力ポート１４０に連結される。
【００２１】
第１実施例に係るオーディオ装置は次のような問題点を有する。第１、アナログスイッチ１２０はＣＭＯＳ（ｃｏｍｐｌｅｍｅｎｔａｒｙ  ｍｅｔａｌ−ｏｘｉｄｅ  ｓｅｍｉｃｏｎｄｕｃｔｏｒ）スイッチなどで具現され得るが、これは抵抗成分の追加を引き起こす。抵抗成分の追加は出力ポート１３０、１４０に連結されたヘッドホンまたはイヤホンの音質低下を引き起こす。第２、制御信号（Ｃｔｒｌ）が第２出力ポート１４０に出力することに対応する場合、アナログモジュール１１０の出力（Ｌ＋、Ｌ−、Ｒ＋、Ｒ−）がすべて第２出力ポート１４０に連結されて活用されるが、制御信号（Ｃｔｒｌ）が第１出力ポート１３０に出力することに対応する場合、アナログモジュール１１０の出力（Ｌ＋、Ｌ−、Ｒ＋、Ｒ−）のうち一部（Ｌ＋、Ｒ＋）のみが第１出力ポート１３０に連結されて活用され、残り（Ｌ−、Ｒ−）は活用されない。これは回路や電力の効率性の側面で損失を引き起こす可能性がある。
【００２２】
図２は第２実施例に係るオーディオ装置を示す図面である。図２を参照すれば、オーディオ装置はアナログモジュール２１０、第１出力ポート２２０、第２出力ポート２３０および制御部２４０を具備する。
【００２３】
アナログモジュール２１０はデジタル左チャネル信号（Ｌ  ｃｈａｎｎｅｌ）およびデジタル右チャネル信号（Ｒ  ｃｈａｎｎｅｌ）の入力を受け、第１および第２アナログ左信号（Ｌ１、Ｌ２）および第１および第２アナログ右信号（Ｒ１、Ｒ２）を出力する。アナログモジュール２１０は、デジタル左チャネル信号（Ｌ  ｃｈａｎｎｅｌ）に対してデジタル−アナログ変換および増幅を遂行して得た第１および第２アナログ左信号（Ｌ１、Ｌ２）を出力し、デジタル右チャネル信号（Ｒ  ｃｈａｎｎｅｌ）に対してデジタル−アナログ変換および増幅を遂行して得た第１および第２アナログ右信号（Ｒ１、Ｒ２）を出力する。
【００２４】
アナログモジュール２１０は、制御信号（Ｃｔｒｌ）により差動モード（ｄｉｆｆｅｒｅｎｔｉａｌ  ｍｏｄｅ）または単一モード（ｓｉｎｇｌｅ−ｅｎｄｅｄ  ｍｏｄｅ）で動作する。アナログモジュール２１０が差動モードで動作する場合、アナログモジュール２１０は差動モードで動作する第１および第２アナログ左信号（Ｌ１、Ｌ２）と差動モードで動作する第１および第２アナログ右信号（Ｒ１、Ｒ２）を出力する。差動モードで動作する第１および第２アナログ左信号（Ｌ１、Ｌ２）のうちいずれか一つの信号は正の左信号に該当し、残りの一つの信号は正の左信号と反対極性を有する負の左信号に該当する。差動モードで動作する第１および第２アナログ右信号（Ｒ１、Ｒ２）のうちいずれか一つの信号は正の右信号に該当し、残りの一つの信号は正の右信号と反対極性を有する負の右信号に該当する。アナログモジュール２１０が単一モードで動作する場合、アナログモジュール２１０は単一モードで動作する第１および第２アナログ左信号（Ｌ１、Ｌ２）と単一モードで動作する第１および第２アナログ右信号（Ｒ１、Ｒ２）を出力する。単一モードで動作する第１および第２アナログ左信号（Ｌ１、Ｌ２）は互いに同一極性を有する単一左信号に該当する。単一モードで動作する第１および第２アナログ右信号（Ｒ１、Ｒ２）は互いに同一極性を有する単一右信号に該当する。
【００２５】
アナログモジュール２１０はデジタル−アナログ変換器２１１および増幅器２１２を具備する。デジタル−アナログ変換器２１１はデジタル左チャネル信号（Ｌ  ｃｈａｎｎｅｌ）およびデジタル右チャネル信号（Ｒ  ｃｈａｎｎｅｌ）に対してデジタル−アナログ変換を遂行する。増幅器２１２はデジタル−アナログ変換器２１１の出力に対して増幅を遂行して得た第１および第２アナログ左信号（Ｌ１、Ｌ２）および第１および第２アナログ右信号（Ｒ１、Ｒ２）を出力する。
【００２６】
アナログ−デジタル変換器２１１は、一例として旭化成エレクトロニクスから販売されるチップＡＫ４３７５を２個使って具現することができる。アナログモジュール２１０が差動モードで動作する時は第１のＡＫ４３７５の第１入力端にデジタル左チャネル信号（Ｌ  ｃｈａｎｎｅｌ）を入力し、第２入力端にはデジタル左チャネル信号（Ｌ  ｃｈａｎｎｅｌ）を反対極性に変換した信号を入力する。また、第２のＡＫ４３７５の第１入力端にデジタル右チャネル信号（Ｒ  ｃｈａｎｎｅｌ）を入力し、第２入力端にはデジタル右チャネル信号（Ｒ  ｃｈａｎｎｅｌ）を反対極性に変換した信号を入力する。アナログモジュール２１０が単一モードで動作する時は第１のＡＫ４３７５の第１および第２入力端にデジタル左チャネル信号（Ｌ  ｃｈａｎｎｅｌ）を入力し、第２のＡＫ４３７５の第１および第２入力端にデジタル右チャネル信号（Ｒ  ｃｈａｎｎｅｌ）を入力する。
【００２７】
第１出力ポート２２０は第１〜第５伝導体（Ｃ１〜Ｃ５）を具備する。第１〜第５伝導体（Ｃ１〜Ｃ５）に第１および第２アナログ左信号（Ｌ１、Ｌ２）、第１および第２アナログ右信号（Ｒ１、Ｒ２）および接地電圧（ＧＮＤ）がそれぞれ印加される。３個の端子２５１を具備した第１オーディオジャック２５０が第１出力ポート２２０に挿入されると、第１および第２伝導体（Ｃ１、Ｃ２）が３個の端子２５１のうちいずれか一つの端子である第１端子に連結され、第３および第４伝導体（Ｃ３、Ｃ４）が３個の端子２５１のうち他のいずれか一つの端子である第２端子に連結され、第５伝導体が３個の端子２５１のうち残りの一つの端子である第３端子に連結される。第１オーディオジャック２５０が第１出力ポート２２０に挿入されると、第１伝導体（Ｃ１）が他の伝導体（例：Ｃ２）を経由せず直接第１端子に連結され、第２伝導体（Ｃ２）が他の伝導体（例：Ｃ１）を経由せず直接第１端子に連結され、第３伝導体（Ｃ３）が他の伝導体（例：Ｃ４）を経由せず直接第２端子に連結され、第４伝導体（Ｃ４）が他の伝導体（例：Ｃ３）を経由せず直接第２端子に連結される。第１オーディオジャック２５０は追加的な端子（一例：マイク用の端子、図示されず）を有することができ、これに伴い、第１出力ポート２２０も追加的な伝導体（図示されず）を有することができる。
【００２８】
第２出力ポート２３０は第６〜第９伝導体（Ｃ６〜Ｃ９）を具備する。第６〜第９伝導体（Ｃ６〜Ｃ９）に第１および第２アナログ左信号（Ｌ１、Ｌ２）および第１および第２アナログ右信号（Ｒ１、Ｒ２）がそれぞれ印加される。４個の端子２６１〜２６４を具備した第２オーディオジャック２６０が第２出力ポート２３０に挿入されると、第６〜第９伝導体（Ｃ６〜Ｃ９）が４個の端子２６１〜２６４にそれぞれ連結される。図面には４個の端子２６１〜２６４が４個の金属棒の形態で具現された例が表現されているが、第１オーディオジャック２５０と類似に一つの円筒形の金属棒に互いに位置を異ならせて４個の端子２６１〜２６４が具現されてもよい。
【００２９】
制御部２４０は第１出力ポート２２０に第１オーディオジャック２５０が挿入されたかを感知して、これに対応する制御信号（Ｃｔｒｌ）を出力する。第１出力ポート２２０に第１オーディオジャック２５０が挿入された時には、制御部２４０は第１および第２アナログ左信号（Ｌ１、Ｌ２）および第１および第２アナログ右信号（Ｒ１、Ｒ２）が単一モードで動作するようにアナログモジュール２１０を制御する。また、第１出力ポート２２０に第１オーディオジャック２５０が挿入されていない少なくとも一部の期間には制御部２４０は第１および第２アナログ左信号（Ｌ１、Ｌ２）および第１および第２アナログ右信号（Ｒ１、Ｒ２）が差動モードで動作するように制御する。
【００３０】
第１オーディオジャック２５０は３個の端子２５１を通じて単一左信号、単一右信号および接地電圧（ＧＮＤ）が入力されるオーディオジャックである。第２オーディオジャック２６０は第１および第２端子２６１、２６２を通じて差動左信号が入力され、第３および第４端子２６３、２６４を通じて差動右信号が入力されるオーディオジャックである。
【００３１】
第１出力ポート２２０に第１オーディオジャック２５０が挿入された時にアナログモジュール２１０は２個の単一アナログ左信号（Ｌ１、Ｌ２）および２個の単一アナログ右信号（Ｒ１、Ｒ２）を出力する。２個の単一アナログ左信号（Ｌ１、Ｌ２）は第１出力ポート２２０の第１および第２伝導体（Ｃ１、Ｃ２）を通じて第１オーディオジャック２５０の第１端子に印加される。また、２個の単一アナログ右信号（Ｒ１、Ｒ２）は第１出力ポート２２０の第３および第４伝導体（Ｃ３、Ｃ４）を通じて第１オーディオジャック２５０の第２端子に印加される。
【００３２】
第１出力ポート２２０に第１オーディオジャック２５０が挿入されていない少なくとも一部の期間にはアナログモジュール２１０は差動アナログ左信号（Ｌ１、Ｌ２）および差動アナログ右信号（Ｒ１、Ｒ２）を出力する。差動アナログ左信号（Ｌ１、Ｌ２）および差動アナログ右信号（Ｒ１、Ｒ２）は第２出力ポート２３０の第６〜第９伝導体（Ｃ６〜Ｃ９）を通じて第２オーディオジャック２６０の第１〜第４端子２６１〜２６４に印加される。この時、差動アナログ左信号（Ｌ１、Ｌ２）が第１出力ポート２２０の第１および第２伝導体（Ｃ１、Ｃ２）にも印加されるが、第１および第２伝導体（Ｃ１、Ｃ２）は互いに電気的に連結されていないため、第１および第２伝導体（Ｃ１、Ｃ２）で電力消耗が発生しない。また、差動アナログ右信号（Ｒ１、Ｒ２）が第１出力ポート２２０の第３および第４伝導体（Ｃ３、Ｃ４）にも印加されるが、第３および第４伝導体（Ｃ３、Ｃ４）は互いに電気的に連結されていないため、第３および第４伝導体（Ｃ３、Ｃ４）で電力消耗が発生しない。
【００３３】
第１出力ポート２２０に第１オーディオジャック２５０が挿入され、第２出力ポート２３０に第２オーディオジャック２６０が挿入された時にアナログモジュール２１０は２個の単一アナログ左信号（Ｌ１、Ｌ２）および２個の単一アナログ右信号（Ｒ１、Ｒ２）を出力する。２個の単一アナログ左信号（Ｌ１、Ｌ２）は第１オーディオジャック２５０の第１端子に入力され、２個の単一アナログ右信号（Ｒ１、Ｒ２）は第１オーディオジャック２５０の第２端子に入力されるため、第１オーディオジャック２５０は正常動作する。また、２個の単一アナログ左信号（Ｌ１、Ｌ２）は第２オーディオジャック２６０の第１および第２端子２６１、２６２にそれぞれ入力され、２個の単一アナログ右信号（Ｒ１、Ｒ２）は第２オーディオジャック２６０の第３および第４端子２６３、２６４にそれぞれ入力される。２個の単一アナログ左信号（Ｌ１、Ｌ２）は実質的に同じ信号であるため、第２オーディオジャック２６０の第１および第２端子２６１、２６２の間に電流が流れず、したがって不要な電流消耗が防止され得る。また、２個の単一アナログ右信号（Ｒ１、Ｒ２）は実質的に同じ信号であるため、第２オーディオジャック２６０の第３および第４端子２６３、２６４の間に電流が流れず、したがって不要な電流消耗が防止され得る。
【００３４】
前述した通り、第２実施例に係るオーディオ装置は増幅器２１２の出力端と第１〜第４および第６〜第９伝導体（Ｃ１〜Ｃ４およびＣ６〜Ｃ９）の間にはいかなるアナログスイッチも連結されていない。したがって、第２実施例に係るオーディオ装置はアナログスイッチによる音質低下を防止することができる。
【００３５】
また、第１出力ポート２２０に第１オーディオジャック２５０が連結された時に、第１オーディオジャック２５０の第１端子に第１および第２アナログ左信号（Ｌ１、Ｌ２）が印加され、第１オーディオジャック２５０の第２端子に第１および第２アナログ右信号（Ｒ１、Ｒ２）が印加される。したがって、第２実施例に係るオーディオ装置は第１オーディオジャック２５０の第１および第２端子に、第１実施例と比べて２倍の電流を供給することができる。
【００３６】
図３は第２実施例に係るオーディオ装置の第１出力ポート２２０に適用可能なオーディオ出力ポート３１０の一例を説明するための図面である。図３を参照すれば、オーディオ出力ポートはハウジング３１１、および第１〜第５伝導体（Ｃ１〜Ｃ５）を具備する。
【００３７】
第１および第２伝導体（Ｃ１、Ｃ２）はｘ軸方向で同一座標上に位置して、第３および第４伝導体（Ｃ３、Ｃ４）はｘ軸方向に同一座標上に位置する。第１および第２伝導体（Ｃ１、Ｃ２）は互いに電気的に連結されていない。第３および第４伝導体（Ｃ３、Ｃ４）は互いに電気的に連結されていない。第１〜第５伝導体（Ｃ１〜Ｃ５）のうち各伝導体はハウジング３１１内部に陥没した部分があり、この部分がオーディオジャック３２０と接触する。
【００３８】
オーディオジャック３２０がオーディオ出力ポート３１０に挿入されると、第１伝導体（Ｃ１）は他の伝導体（一例：Ｃ２）を経由せず直接第１端子３２１に接触し、第２伝導体（Ｃ２）は他の伝導体（一例：Ｃ１）を経由せず直接第１端子３２１に接触し、第３伝導体（Ｃ３）は他の伝導体（一例：Ｃ４）を経由せず直接第２端子３２２に接触し、第４伝導体（Ｃ４）は他の伝導体（一例：Ｃ３）を経由せず直接第２端子３２２に接触し、第５伝導体（Ｃ５）は第３端子３２３に接触する。
【００３９】
オーディオジャック３２０がオーディオ出力ポート３１０に挿入されると、第１および第２伝導体（Ｃ１、Ｃ２）には２個の単一アナログ左信号が印加され、第３および第４伝導体（Ｃ３、Ｃ４）には２個の単一アナログ右信号が印加され、第５伝導体（Ｃ５）には接地電圧が印加される。
【００４０】
オーディオジャック３２０がオーディオ出力ポート３１０に挿入されていない少なくとも一部の期間に、第１および第２伝導体（Ｃ１、Ｃ２）には差動アナログ左信号が印加され、第３および第４伝導体（Ｃ３、Ｃ４）には差動アナログ右信号が印加され、第５伝導体（Ｃ５）には接地電圧が印加される。
【００４１】
図４は第２実施例に係るオーディオ装置の第１出力ポート２２０に適用可能なオーディオ出力ポート４１０の他の例を説明するための図面である。図４を参照すれば、オーディオ出力ポートはハウジング４１１、および第１〜第５伝導体（Ｃ１〜Ｃ５）を具備する。
【００４２】
第１および第２伝導体（Ｃ１、Ｃ２）はｘ軸方向に互いに異なる座標上に位置し、第３および第４伝導体（Ｃ３、Ｃ４）はｘ軸方向に互いに異なる座標上に位置する。第１および第２伝導体（Ｃ１、Ｃ２）は互いに電気的に連結されていない。第３および第４伝導体（Ｃ３、Ｃ４）は互いに電気的に連結されていない。第１〜第５伝導体（Ｃ１〜Ｃ５）のうち各伝導体はハウジング4１１の内部に陥没した部分があり、この部分がオーディオジャック4２０と接触する。
【００４３】
オーディオジャック４２０がオーディオ出力ポート４１０に挿入されると、第１伝導体（Ｃ１）は他の伝導体（一例：Ｃ２）を経由せず直接第１端子４２１に接触し、第２伝導体（Ｃ２）は他の伝導体（一例：Ｃ１）を経由せず直接第１端子４２１に接触し、第３伝導体（Ｃ３）は他の伝導体（一例：Ｃ４）を経由せず直接第２端子４２２に接触し、第４伝導体（Ｃ４）は他の伝導体（一例：Ｃ３）を経由せず直接第２端子４２２に接触し、第５伝導体（Ｃ５）は第３端子４２３に接触する。
オーディオジャック４２０がオーディオ出力ポート４１０に挿入されると、第１および第２伝導体（Ｃ１、Ｃ２）には２個の単一アナログ左信号が印加され、第３および第４伝導体（Ｃ３、Ｃ４）には２個の単一アナログ右信号が印加され、第５伝導体（Ｃ５）には接地電圧が印加される。
【００４４】
オーディオジャック４２０がオーディオ出力ポート４１０に挿入されていない少なくとも一部の期間に、第１および第２伝導体（Ｃ１、Ｃ２）には差動アナログ左信号が印加され、第３および第４伝導体（Ｃ３、Ｃ４）には差動アナログ右信号が印加され、第５伝導体（Ｃ５）には接地電圧が印加される。
【００４５】
図５は第３実施例に係るオーディオ装置を示す図面である。図５を参照すれば、オーディオ装置はアナログモジュール５１０、アナログスイッチ５２０第１出力ポート５３０、第２出力ポート５４０および制御部５５０を具備する。
【００４６】
アナログモジュール５１０はデジタル左チャネル信号（Ｌ  ｃｈａｎｎｅｌ）およびデジタル右チャネル信号（Ｒ  ｃｈａｎｎｅｌ）の入力を受け、第１および第２アナログ左信号（Ｌ１、Ｌ２）および第１および第２アナログ右信号（Ｒ１、Ｒ２）を出力する。アナログモジュール５１０はデジタル左チャネル信号（Ｌ  ｃｈａｎｎｅｌ）に対してデジタル−アナログ変換および増幅を遂行して得た第１および第２アナログ左信号（Ｌ１、Ｌ２）を出力し、デジタル右チャネル信号（Ｒ  ｃｈａｎｎｅｌ）に対してデジタル−アナログ変換および増幅を遂行して得た第１および第２アナログ右信号（Ｒ１、Ｒ２）を出力する。第１および第２アナログ左信号（Ｌ１、Ｌ２）および第１および第２アナログ右信号（Ｒ１、Ｒ２）は第１〜第４配線に出力される。
【００４７】
アナログモジュール５１０は制御信号（Ｃｔｒｌ）により差動モード（ｄｉｆｆｅｒｅｎｔｉａｌ  ｍｏｄｅ）または単一モード（ｓｉｎｇｌｅ−ｅｎｄｅｄ  ｍｏｄｅ）で動作する。アナログモジュール５１０が差動モードで動作する場合、アナログモジュール５１０は差動モードで動作する第１および第２アナログ左信号（Ｌ１、Ｌ２）と差動モードで動作する第１および第２アナログ右信号（Ｒ１、Ｒ２）を出力する。アナログモジュール５１０が単一モードで動作する場合、アナログモジュール５１０は単一モードで動作する第１および第２アナログ左信号（Ｌ１、Ｌ２）と単一モードで動作する第１および第２アナログ右信号（Ｒ１、Ｒ２）を出力する。
【００４８】
アナログモジュール５１０はデジタル−アナログ変換器５１１および増幅器５１２を具備する。デジタル−アナログ変換器５１１はデジタル左チャネル信号（Ｌ  ｃｈａｎｎｅｌ）およびデジタル右チャネル信号（Ｒ  ｃｈａｎｎｅｌ）に対してデジタル−アナログ変換を遂行する。増幅器５１２はデジタル−アナログ変換器５１１の出力に対して増幅を遂行して得た第１および第２アナログ左信号（Ｌ１、Ｌ２）および第１および第２アナログ右信号（Ｒ１、Ｒ２）を出力する。
【００４９】
アナログ−デジタル変換器５１１は、一例として 旭化成エレクトロニクスから販売されるチップＡＫ４３７５を２個使って具現することができる。アナログモジュール５１０が差動モードで動作する時は第１のＡＫ４３７５の第１入力端にデジタル左チャネル信号（Ｌ  ｃｈａｎｎｅｌ）を入力し、第２入力端にはデジタル左チャネル信号（Ｌ  ｃｈａｎｎｅｌ）を反対極性に変換した信号を入力する。また、第２のＡＫ４３７５の第１入力端にデジタル右チャネル信号（Ｒ  ｃｈａｎｎｅｌ）を入力し、第２入力端にはデジタル右チャネル信号（Ｒ  ｃｈａｎｎｅｌ）を反対極性に変換した信号を入力する。アナログモジュール５１０が単一モードで動作する時は第１のＡＫ４３７５の第１および第２入力端にデジタル左チャネル信号（Ｌ  ｃｈａｎｎｅｌ）を入力し、第２のＡＫ４３７５の第１および第２入力端にデジタル右チャネル信号（Ｒ  ｃｈａｎｎｅｌ）を入力する。
【００５０】
アナログスイッチ５２０は第１スイッチ５２１および第２スイッチ５２２を具備する。第１および第２アナログ左信号（Ｌ１、Ｌ２）が印加される第１および第２配線は第１スイッチ５２１を経由して第１伝導体（Ｃ１）に連結される。第１および第２アナログ右信号（Ｒ１、Ｒ２）が印加される第３および第４配線は第２スイッチ５２２を経由して第２伝導体（Ｃ２）に連結される。第１スイッチ５２１は制御信号（Ｃｔｒｌ）により第１および第２配線のすべてを第１伝導体（Ｃ１）に連結するか、第１および第２配線のうち少なくとも一つを第１伝導体（Ｃ１）から遮断する。第２スイッチ５２２は制御信号（Ｃｔｒｌ）により第３および第４配線のすべてを第２伝導体（Ｃ２）に連結するか、第３および第４配線のうち少なくとも一つを第２伝導体（Ｃ２）から遮断する。
【００５１】
第１出力ポート５３０は第１〜第３伝導体（Ｃ１〜Ｃ３）を具備する。第１伝導体（Ｃ１）には、第１スイッチ５２１の動作により、第１および第２アナログ左信号（Ｌ１、Ｌ２）が印加されるか、第１および第２アナログ左信号（Ｌ１、Ｌ２）のうち少なくともいずれか一つの信号が遮断される。第２伝導体（Ｃ２）には、第２スイッチ５２２の動作により、第１および第２アナログ右信号（Ｒ１、Ｒ２）が印加されるか、第１および第２アナログ右信号（Ｒ１、Ｒ２）のうち少なくともいずれか一つの信号が遮断される。第３伝導体（Ｃ３）には接地電圧（ＧＮＤ）が印加される。３個の端子５６１を具備した第１オーディオジャック５６０が第１出力ポート５３０に挿入されると、第１伝導体（Ｃ１）が３個の端子５６１のうちいずれか一つの端子である第１端子に連結され、第２伝導体（Ｃ２）が３個の端子５６１のうち他のいずれか一つの端子である第２端子に連結され、第３伝導体（Ｃ３）が３個の端子５６１のうち残りの一つの端子である第３端子に連結される。第１オーディオジャック５６０は追加的な端子（一例：マイク用の端子、図示されず）を有することができ、これに伴い、第１出力ポート５３０も追加的な伝導体（図示されず）を有することができる。
【００５２】
第２出力ポート５４０は第４〜第７伝導体（Ｃ４〜Ｃ７）を具備する。第４〜第７伝導体（Ｃ４〜Ｃ７）に第１および第２アナログ左信号（Ｌ１、Ｌ２）および第１および第２アナログ右信号（Ｒ１、Ｒ２）がそれぞれ印加される。４個の端子５７１〜５７４を具備した第２オーディオジャック５７０が第２出力ポート５４０に挿入されると、第４〜第７伝導体（Ｃ４〜Ｃ７）が４個の端子５７１〜５７４にそれぞれ連結される。図面には４個の端子５７１〜５７４が４個の金属棒の形態で具現された例が表現されているが、第１オーディオジャック５６０と類似に一つの円筒形金属棒に互いに位置を異ならせて４個の端子が具現されてもよい。
【００５３】
制御部５５０は第１出力ポート５３０に第１オーディオジャック５６０が挿入されたかの可否および第２出力ポート５４０に第２オーディオジャック５７０が挿入されたかの可否のうち少なくともいずれか一つにより制御信号（Ｃｔｒｌ）を生成することができる。一例として、第１出力ポート５３０に第１オーディオジャック５６０が挿入された時、制御部５５０は単一モードで動作するようにアナログモジュール５１０およびアナログスイッチ５２０を制御し、第１オーディオジャック５６０が挿入されていない少なくとも一部の期間に制御部５５０は差動モードで動作するようにアナログモジュール５１０およびアナログスイッチ５２０を制御することができる。他の例において、第２出力ポート５４０に第２オーディオジャック５７０が挿入された時、制御部５５０は差動モードで動作するようにアナログモジュール５１０およびアナログスイッチ５２０を制御し、第２オーディオジャック５７０が挿入されていない少なくとも一部の期間に制御部５５０は単一モードで動作するようにアナログモジュール５１０およびアナログスイッチ５２０を制御することができる。単一モードで動作する時は、アナログモジュール５１０は単一モードで動作する第１および第２アナログ左信号（Ｌ１、Ｌ２）と単一モードで動作する第１および第２アナログ右信号（Ｒ１、Ｒ２）を出力する。また、単一モードで動作する時は第１スイッチ５２１は第１および第２配線のすべてを第１伝導体（Ｃ１）と連結し、第２スイッチ５２２は第３および第４配線のすべてを第２伝導体（Ｃ２）と連結する。差動モードで動作する時は、アナログモジュール５１０は差動モードで動作する第１および第２アナログ左信号（Ｌ１、Ｌ２）と差動モードで動作する第１および第２アナログ右信号（Ｒ１、Ｒ２）を出力する。また、差動モードで動作する時は第１スイッチ５２１は第１および第２配線のうち少なくともいずれか一つを第１伝導体（Ｃ１）から遮断し、第２スイッチ５２２は第３および第４配線のうち少なくともいずれか一つを第２伝導体（Ｃ２）から遮断する。
【００５４】
第１オーディオジャック５６０は３個の端子５６１を通じて単一左信号、単一右信号および接地電圧（ＧＮＤ）が入力されるオーディオジャックである。第２オーディオジャック５７０は第１および第２端子５７１、５７２を通じて差動左信号が入力され、第３および第４端子5７３、5７４を通じて差動右信号が入力されるオーディオジャックである。
【００５５】
単一モードで動作する時、アナログモジュール５１０は２個の単一アナログ左信号（Ｌ１、Ｌ２）および２個の単一アナログ右信号（Ｒ１、Ｒ２）を出力する。２個の単一アナログ左信号（Ｌ１、Ｌ２）はすべて第１スイッチ５２１、第１出力ポート５３０の第１伝導体（Ｃ１）を通じて第１オーディオジャック５６０の第１端子に印加される。また、２個の単一アナログ右信号（Ｒ１、Ｒ２）はすべて第２スイッチ５２２、第１出力ポート５３０の第２伝導体（Ｃ２）を通じて第１オーディオジャック５６０の第２端子に印加される。
【００５６】
単一モードで動作する時、２個の単一アナログ左信号（Ｌ１、Ｌ２）および２個の単一アナログ右信号（Ｒ１、Ｒ２）は第２出力ポート５４０の第４〜第７伝導体（Ｃ４〜Ｃ７）にそれぞれ印加される。この時、第２オーディオジャック５７０が第２出力ポート５４０に挿入されても、第２オーディオジャック５７０の第１および第２端子５７１、５７２に互いに実質的に同じ単一アナログ左信号（Ｌ１、Ｌ２）が印加されるため、第１および第２端子５７１、５７２の間に電流が流れなくなる。また、第２オーディオジャック５７０の第３および第４端子５７３、５７４に互いに実質的に同じ単一アナログ右信号（Ｒ１、Ｒ２）が印加されるため、第３および第４端子５７３、５７４の間に電流が流れなくなる。したがって不要な電流消耗が防止され得る。
【００５７】
差動モードで動作する時、アナログモジュール５１０は差動アナログ左信号（Ｌ１、Ｌ２）および差動アナログ右信号（Ｒ１、Ｒ２）を出力する。差動アナログ左信号（Ｌ１、Ｌ２）および差動アナログ右信号（Ｒ１、Ｒ２）は第２出力ポート５４０の第４〜第７伝導体（Ｃ４〜Ｃ７）を通じて第２オーディオジャック５７０の第１〜第４端子５７１〜５７４に印加される。
【００５８】
差動モードで動作する時、差動アナログ左信号（Ｌ１、Ｌ２）が印加される第１および第２配線のうち少なくとも一つは第１出力ポート５３０の第１伝導体（Ｃ１）と遮断され、差動アナログ右信号（Ｒ１、Ｒ２）が印加される第３および第４配線のうち少なくとも一つは第１出力ポート５３０の第２伝導体（Ｃ２）と遮断される。第１および第２配線が第１出力ポート５３０の第１伝導体（Ｃ１）と遮断され、第３および第４配線が第１出力ポート５３０の第２伝導体（Ｃ２）と遮断された場合、第１オーディオジャック５６０が第１出力ポート５３０に挿入されても、オーディオジャック５６０で電流が流れない。したがって、不要な電流消耗が防止され得る。
【００５９】
前述した通り、第３実施例に係るオーディオ装置は増幅器５１２の出力端と第４〜第７伝導体（Ｃ４〜Ｃ７）の間にいかなるアナログスイッチも連結されていない。したがって、第３実施例に係るオーディオ装置はアナログスイッチによる音質低下を防止することができる。
【００６０】
また、第１出力ポート５３０に第１オーディオジャック５６０が連結された時に、第１オーディオジャック５６０の第１端子に第１および第２アナログ左信号（Ｌ１、Ｌ２）が印加され、第１オーディオジャック５６０の第２端子に第１および第２アナログ右信号（Ｒ１、Ｒ２）が印加される。したがって、第３実施例に係るオーディオ装置は第１オーディオジャック５６０の第１および第２端子に第１実施例と比べて、２倍の電流を供給することができる。
【００６１】
本実施例および本明細書に添付された図面は、前述した技術に含まれる技術的思想の一部を明確に示しているものに過ぎず、前述した技術の明細書および図面に含まれた技術的思想の範囲内で当業者が容易に類推できる変形例と具体的な実施例はすべて前述した技術の権利範囲に含まれるものと言える。
【図１】
2018007243.tif 000003
【図２】
2018007243.tif 000004
【図３】
2018007243.tif 000005
【図４】
2018007243.tif 000006
【図５】
2018007243.tif 000007